(57)【要約】【課題】扉状部が僅かに開放されたときに扉連動スイッチを切ることが出来る、新規な構造の遊技機を提供することを、目的とする。【解決手段】扉側端子８６，８８が設けられた外縁側傾斜面８２を、扉状部２０の外縁、即ち、扉状部２０と本体部１２の重ね合わせ面間に形成された隙間８９の開口端面を構成する扉状部２０の側面８７から遠ざかるに従って本体部１２に近づくように傾けて形成することにより、扉状部２０を抉じ開ける際に扉状部２０に作用する力の方向を外縁側傾斜面８２に直交する方向に近づけるようにした。【選択図】図８
2012176263.tif 000002
【特許請求の範囲】
【請求項１】
遊技機の外枠に対して固定される本体部と、
該本体部に対して開閉可能に取り付けられており、該本体部に対して開放不能に固定可能な扉状部と、
電気的装置の電源線又は信号線上に設けられ、前記扉状部の開閉に連動する扉連動スイッチと
を備えた遊技機において、
前記扉連動スイッチは、
前記扉状部において該扉状部を閉じた状態で前記本体部と重ね合わせられる重ね合わせ面に設けられて、該扉状部の外縁から離れるに従って該本体部に近づくように傾斜する傾斜面と、
該傾斜面に設けられた扉側端子と、
前記本体部に設けられて、前記扉状部が閉じられた状態で前記傾斜面に対する直交方向において前記扉側端子と重ね合わせられることにより、該扉側端子と接触する本体側端子と
を備え、前記扉側端子と前記本体側端子が接触することにより電源線又は信号線を接続し、前記扉側端子と前記本体側端子が離れることにより電源線又は信号線を遮断することを特徴とする遊技機。
【発明の詳細な説明】
【技術分野】
【０００１】
本発明は、遊技機の外枠に固定される本体部に対して扉状部が開閉可能に取り付けられていると共に、扉状部の開閉に連動する扉連動スイッチが設けられている遊技機に関するものである。
【背景技術】
【０００２】
遊技機としてのパチンコ機は、外枠に対して開閉可能に組み付けられる本体部としての中枠や、中枠に対して開閉可能に組み付けられる扉状部としての前枠のように、一方の部材が他方の部材に対して開閉可能に設けられていることが多い。
【０００３】
そこにおいて、例えば、前枠に設けられた電飾用のＬＥＤが中枠の裏側に取り付けられた発光制御基板によって発光制御される場合等のように、制御信号等を伝送する伝送路を本体部と扉状部に跨って設ける必要がある。
【０００４】
そこで、扉状部が閉じられた際に本体部と扉状部に跨る伝送路を接続する方法として、特許文献１に記載されているように、本体部と扉状部のそれぞれに設けられたコネクタの端子を扉状部が閉じられた際に接続することが提案されている。
【０００５】
ところで、パチンコ機においては、例えば、前枠を開ける等の不正行為が行われることがあるため、かかる不正行為を防止するための工夫が必要となる。そこで、本体部と扉状部に跨る伝送路を接続するコネクタを扉状部の開閉に連動する扉連動スイッチとし、かかる扉連動スイッチの状態に基づいて、電源供給や信号伝達を行ったり行わなかったりすることが考えられる。
【０００６】
しかしながら、特許文献１に記載の如きコネクタでは、雄コネクタのコネクタピンが雌コネクタに対して略平行に挿し込まれることにより、一対のコネクタが接続されるようになっていることから、扉状部を僅かに開放した場合であっても、一対のコネクタが接続された状態が維持されており、扉状部が僅かに開放されてもコネクタピンとコネクタは非接触状態にすることができないという問題があった。
【０００７】
【特許文献１】特開２００３−１３５７９２号公報
【発明の開示】
【発明が解決しようとする課題】
【０００８】
ここにおいて、本発明は、上述の如き事情を背景として為されたものであって、その解決課題とするところは、扉状部が僅かに開放された時に扉連動スイッチを切ることが出来る、新規な構造の遊技機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明は、遊技機の外枠に対して固定される本体部と、本体部に対して開閉可能に取り付けられており、本体部に対して開放不能に固定可能な扉状部と、電気的装置の電源線又は信号線上に設けられ、扉状部の開閉に連動する扉連動スイッチとを備えた遊技機において、扉連動スイッチは、扉状部において扉状部を閉じた状態で本体部と重ね合わせられる重ね合わせ面に設けられて、扉状部の外縁から離れるに従って本体部に近づくように傾斜する傾斜面と、傾斜面に設けられた扉側端子と、本体部に設けられて、扉状部が閉じられた状態で傾斜面に対する直交方向において扉側端子と重ね合わせられることにより、扉側端子と接触する本体側端子とを備え、扉側端子と本体側端子が接触することにより電源線又は信号線を接続し、扉側端子と本体側端子が離れることにより電源線又は信号線を遮断することを、特徴とする。
【００１１】
このような本発明に従う構造とされた遊技機にあっては、本体部に対して開放不能に固定された扉状部を抉じ開けようとした場合に、扉側端子が本体側端子から離れることにより扉連動スイッチを切ることが可能となる。
【００１２】
すなわち、遊技ホールの島設備に設置された遊技機の扉状部を抉じ開けようとした場合、扉状部と本体部の重ね合わせ面間に形成された隙間にマイナスドライバ等の抉じ開け用道具を挿し込んで、かかる抉じ開け用道具を扉状部との接触部分を支点にして手前側（扉状部側）へ引いて動かすようにすることとなるが、扉側端子が設けられた傾斜面が扉状部の外縁、即ち、扉状部と本体部の重ね合わせ面間に形成された隙間の開口端面を構成する扉状部の側面から遠ざかるに従って本体部に近づくように傾いて形成されていることから、抉じ開け用道具で扉状部を抉じ開けようとした場合に扉状部に作用する外力の方向、即ち、扉状部が動く方向と、扉側端子が設けられた外縁側傾斜面との為す角度を９０度（直角）に近い大きさにすることが可能となる。その結果、扉状部が僅かに動いた場合であっても、扉側端子と本体側端子を非接触状態にすることが可能となる。
【００１３】
従って、本発明に係る遊技機においては、扉状部の僅かな開放でも扉連動スイッチを切ることが出来るのである。
【００１４】
なお、本発明において、本体部は外枠に対して一軸回りに回動可能な状態で組み付けられていても良い。また、本発明では、扉状部が本体部になっても良いし、本体部が扉状部になっても良い。即ち、本発明では、扉状部は扉状部だけである必要はなく、他の部材との関係で本体部になっても良く、また、本体部は本体部だけである必要はなく、他の部材との関係で扉状部となっても良いのである。
【００１５】
また、本発明において、扉状部を本体部に対して開放不能に固定するというのは、例えば、本体部に対する回動中心軸線とは反対側の位置に設けられた鍵によって扉状部を閉じた状態に維持することをいい、本体部に対して開閉不能に固定された扉状部を再び開放できないように固定することではない。
【００１６】
さらに、本発明において、傾斜面の傾斜角度は、傾斜面が設けられた位置等に応じて、適宜設定されるものである。なお、本発明において、傾斜面は、傾斜の度合いが略一定であっても良いし、傾斜の度合いが変化していても良い。
【００１７】
更にまた、本発明において、傾斜面は、扉状部に一体形成されていても良いし、扉状部とは別体形成された部材が扉状部に固定されることにより、扉状部に設けられていても良い。
【００１８】
また、本発明において、本体側端子は、本体部に対して直接に設けられていても良いし、本体部に固定された別部材に設けられていても良い。
【００１９】
更にまた、本発明において、電気的装置とは、電源を供給することによって使用可能となる装置をいい、例えば、発光ダイオードや有機ＥＬ等の発光素子，スピーカ，電気モータ，ロータリーソレノイド，回路基板，センサ等である。
【発明を実施するための最良の形態】
【００２０】
以下、本発明を更に具体的に明らかにするために、本発明の実施形態について、図面を参照しつつ、詳細に説明する。
【００２１】
図１には、本発明に係る遊技機の一実施形態としてのパチンコ機１０が示されている。このパチンコ機１０は、機体の外郭を為す外枠１１に対して開閉可能且つ固定可能に組み付けられた本体部としての中枠１２を備えており、かかる中枠１２に設けられた操作ハンドル１４に対して回動操作可能に組み付けられた操作レバー１６が回動操作されることにより、中枠１２に設けられた発射球貯留皿１８に貯留されている遊技球が、中枠１２に対して開閉可能に組み付けられた扉状部としての前枠２０で保持されている透明板２２を通して遊技者に視認される遊技領域（図示せず）に向けて発射されるようになっている。なお、本実施形態では、前枠２０は、一対のヒンジ部材２１，２１によって、中枠１２に組み付けられており、それによって、幅方向一端側（図１中左端側）に位置する回動中心軸線２３回りに開閉可能とされている。また、本実施形態では、前枠２０の幅方向他端側（図１中の右端側）、即ち、前枠２０の回動中心軸線２３が位置するほうとは反対側に設けられた枠鍵２５によって、前枠２０が閉じられた状態に維持されるようになっている。
【００２２】
より詳細には、操作レバー１６は、操作ハンドル１４内に配設された巻ばね（図示せず）の付勢力が回動操作方向（本実施形態では、反時計回りの方向）と反対の方向（本実施形態では、時計回りの方向）に及ぼされた状態で、操作ハンドル１４に対して回動可能に配設されている。これにより、操作レバー１６は、巻ばねによる付勢力に抗して、反時計回りの方向に回動操作されるようになっている。そして、操作レバー１６に対して回動操作力が及ぼされなくなった場合には、操作レバー１６は、巻ばねの付勢力によって、初期位置に戻るようになっている。
【００２３】
また、操作レバー１６の表面には、導電性の皮膜が形成されている。かかる導電性の皮膜は、操作ハンドル１４内に配設された電気的装置としてのタッチセンサ２４（図２参照）に接続されている。これにより、遊技者の指が操作レバー１６に触れると、タッチセンサ２４から検出信号が出力されるようになっている。
【００２４】
なお、タッチセンサ２４としては、例えば、人体がもつ静電容量への充電現象を利用して、その変化を検出する検出回路によって構成された従来から公知のもの、具体的には、操作レバー１６が接続される発振回路が内部に設けられており、操作レバー１６に人体（例えば、遊技者の指）が接触すると発振回路の発振のバランスを崩して発振を停止させて、かかる発振の停止の有無により人体の接触／非接触状態を検出するようにした検出回路によって構成されているものが採用される。
【００２５】
さらに、操作ハンドル１４内には、発射停止スイッチ２６（図２参照）が配設されている。かかる発射停止スイッチ２６は、操作レバー１６の近くにおいて揺動可能に設けられた押圧操作片２８によって押圧操作可能とされている。なお、発射停止スイッチ２６は、従来から公知のマイクロスイッチによって構成されている。
【００２６】
そこにおいて、操作レバー１６が初期位置に位置せしめられた状態では、発射停止スイッチ２６が押圧操作片２８によって押圧操作された状態となっている。そして、操作レバー１６が巻ばねの付勢力に抗して回動操作された状態では、発射停止スイッチ２６が押圧操作片２８によって押圧操作されていない状態となる。これにより、操作レバー１６が回動操作された状態では、押圧操作片２８を遊技者が押圧操作することにより、発射停止スイッチ２６が押圧操作されるようになっている。
【００２７】
更にまた、操作ハンドル１４内には、操作レバー１６の回動量を検出するボリュームスイッチ３０（図２参照）が配設されている。なお、図面上では明示されていないが、本実施形態では、操作レバー１６と一体的に回転せしめられるピニオンとボリュームスイッチ３０に連結されているピニオンが噛合わされており、それによって、操作レバー１６の回動量がボリュームスイッチ３０によって検出されるようになっている。
【００２８】
続いて、パチンコ機１０が備えている電気的装置としての発射制御回路３２について、図２に基づいて、説明する。発射制御回路３２は、発振器３４，発射パルス生成部３６，処理部３８，出力部４０を含んで構成されている。そして、処理部３８及び出力部４０には、タッチセンサ２４が接続されている。また、出力部４０には、発射停止スイッチ２６とボリュームスイッチ３０が接続されている。
【００２９】
発振器３４は、従来から公知の水晶振動子を含んで構成されており、パルス信号を発生させるものである。このような発振器３４は、発射パルス生成部３６に接続されている。
【００３０】
発射パルス生成部３６は、所謂分周回路によって構成されており、発振器３４によって生成されたパルス信号の周波数を基準となる発射間隔（本実施形態では、０．６秒）で遊技球を発射できるような周波数に変更するものである。このような発射パルス生成部３６は、処理部３８に接続されている。
【００３１】
処理部３８は、各種の回路素子を組み合わせることによって、或いは、専用設計されたＩＣを適当に組み合わせることによって構成されており、タッチセンサ２４からの検出信号の有無や発射パルス生成部３６からのパルス信号の入力の有無を検出するようになっている。そして、処理部３８は、タッチセンサ２４からの検出信号が入力されている場合に、発射パルス生成部３６からのパルス信号の入力の有無を検出し、パルス信号が入力されている場合には、発射信号を出力するようになっている。なお、タッチセンサ２４からの検出信号が入力されていない場合、処理部３８は、発射パルス生成部３６からのパルス信号の入力の有無を検出しないようになっている。このような処理部３８は、出力部４０に接続されている。
【００３２】
出力部４０は、各種の回路素子を組み合わせることによって、或いは、専用設計されたＩＣを適当に組み合わせることによって構成されており、タッチセンサ２４からの検出信号の入力の有無や発射停止スイッチ２６からの検出信号の入力の有無、ボリュームスイッチ３０からの回動量信号の入力の有無、処理部３８からの発射信号の入力の有無を検出するようになっている。このような出力部４０には、駆動装置としての発射ソレノイド４２と、後述する球送りカセット５３を駆動するための球送りソレノイド４４が接続されている。
【００３３】
発射ソレノイド４２は、出力軸が設けられたロータと、コイルが巻き回されたヨークを備えた、従来から公知のロータリーソレノイドによって構成されており、図３に示されているように、適当な取付部材４６を介して、取付板４８に固定されている。そして、取付板４８が中枠１２に取り付けられることにより、発射ソレノイド４２がパチンコ機１０に取り付けられるようになっている。
【００３４】
また、発射ソレノイド４２の出力軸には、発射杆５０が設けられている。この発射杆５０には、付勢手段としての巻ばね（図示せず）による付勢力が常時及ぼされており、かかる巻ばねの付勢力によって、発射杆５０はストッパゴム（図示せず）に当接せしめられている。即ち、発射杆５０は、ストッパゴムに当接することによって、巻ばねによる付勢力が及ぼされている方向への変位が規制されるようになっている。因みに、図３では、発射杆５０が巻ばねの付勢力によってストッパゴム当接せしめられた状態が示されており、本実施形態では、発射杆５０が巻ばねの付勢力によってストッパゴムに当接せしめられた位置（図３で示されている位置）が初期位置となる。
【００３５】
そして、出力部４０は、タッチセンサ２４からの検出信号が入力されている一方、発射停止スイッチ２６からの検出信号が入力されていない場合、即ち、遊技者が操作レバー１６に触っており、且つ、操作レバー１６を回動操作している場合、処理部３８からの発射信号が入力されると、ボリュームスイッチ３０からの回動量信号に対応した回転速度で発射杆５０を駆動変位せしめるための電流を発射ソレノイド４２に流すようになっている。
【００３６】
これにより、発射杆５０が巻ばねの付勢力に抗して駆動変位せしめられる。その結果、発射通路としての発射レール５２に載置された遊技球が、発射杆５０によって、遊技領域に向けて弾かれる。
【００３７】
そこにおいて、本実施形態では、発射杆５０が遊技球を弾く位置まで駆動変位せしめられると、発射杆５０は他のストッパゴム（図示せず）に当接するようになっている。即ち、発射杆５０は、他のストッパゴムに当接することによって、駆動変位方向への変位が規制されるようになっている。
【００３８】
そして、発射杆５０が遊技球を弾いた後、出力部４０は、発射ソレノイド４２への通電を停止する。これにより、発射杆５０は、巻ばねの付勢力によって、初期位置に向かって返戻作動するようになっている。
【００３９】
また、出力部４０は、発射ソレノイド４２への通電を停止した後、球送りソレノイド４４への通電を行う。これにより、球送りカセット５３が作動せしめられて、発射球貯留皿１８に貯留されている遊技球が１個だけ発射レール５２上に送られてくるようになっている。
【００４０】
一方、タッチセンサ２４と発射停止スイッチ２６の両方から検出信号が入力されている場合（遊技者が操作レバー１６を触っているが、操作レバー１６を回動操作していない場合、或いは、遊技者が操作レバー１６に触っており、且つ、操作レバー１６を回動操作しているが、押圧操作片２８を押圧操作している場合）や、タッチセンサ２４からの検出信号が入力されていない場合（遊技者が操作レバー１６に触っていない場合）には、出力部４０は、発射ソレノイド４２への通電を行わないようになっている。これにより、遊技球の発射が行われないようになっている。
【００４１】
そこにおいて、本実施形態では、図４に示されているように、タッチセンサ２４と発射制御回路３２を接続してタッチセンサ２４からの検出信号を発射制御回路３２に伝送する信号線としての検出信号伝送路５４が前枠２０と中枠１２に跨るように配設されている。そして、中枠１２に設けられた固定側コネクタ５６と、前枠２０に設けられた可動側コネクタ５８によって構成された扉連動スイッチとしての接続スイッチ６０が接続されている状態、即ち、固定側コネクタ５６と可動側コネクタ５８が嵌まり合っている状態で、検出信号伝送路５４が電気的に接続されて、タッチセンサ２４からの検出信号が発射制御回路３２に伝送されるようになっている。なお、本実施形態では、接続スイッチ６０は、検出信号伝送路５４が処理部３８に接続される部分と出力部４０に伝送される部分に分岐されている位置よりもタッチセンサ２４側に設けられている。
【００４２】
より詳細には、本実施形態の固定側コネクタ５６は、合成樹脂材等の絶縁材で形成されており、図５にも示されているように、突出端面（高さ方向の一端面）に開口する嵌合凹溝６２が形成された構造とされている。そこにおいて、本実施形態では、嵌合凹溝６２の両方の内側壁面６４，６６は、それぞれ、嵌合凹溝６２の底へ行くに従って他方の内側壁面６６，６４のほうへ行く傾斜面とされており、特に本実施形態では、嵌合凹溝６２の両方の内側壁面６４，６６が、嵌合凹溝６２の底で接続されている。これにより、嵌合凹溝６２は、Ｖ字断面で延びるように形成されている。
【００４３】
また、本実施形態の固定側コネクタ５６には、銅等の導電性材料で形成された本体側端子としての固定側接続端子６８，７０が二つ設けられている。そこにおいて、本実施形態の固定側接続端子６８，７０は、それぞれ、嵌合凹溝６２の一方の内側壁面６４に設けられている。特に本実施形態では、二つの固定側接続端子６８，７０は、それぞれ、嵌合凹溝６２の底付近だけに設けられており、嵌合凹溝６２の底から嵌合凹溝６２の開口端に亘って設けられていない。また、本実施形態では、固定側接続端子６８，７０は固定側コネクタ５６に埋め込まれるように設けられており、固定側接続端子６８，７０の表面と内側壁面６４が面一とされて滑らかに接続されているが、固定側接続端子６８，７０が内側壁面６４から突出するように設けられていても良い。
【００４４】
更にまた、二つの固定側接続端子６８，７０のうち一方の固定側接続端子６８は、センサ側伝送路７２によって、タッチセンサ２４に接続されており、他方の固定側接続端子７０は、回路側伝送路７４によって、発射制御回路３２に接続されている。
【００４５】
このような構造とされた固定側コネクタ５６は、中枠１２における前枠２０との重ね合わせ面に開口成形された凹所７６に収容位置せしめられた状態で、中枠１２に設けられている。特に本実施形態では、固定側コネクタ５６は、中枠１２において前枠２０の回動中心軸とは反対側に位置せしめられる縦桟部分に設けられている。
【００４６】
なお、固定側コネクタ５６の中枠１２への固定は、例えば、固定側コネクタ５６を中枠１２に対して接着剤で固定する方法等が、採用可能である。また、固定側コネクタ５６に対して、中枠１２への固定片を別途設けておき、かかる固定片によって中枠１２に固定するようにしても良い。
【００４７】
そこにおいて、本実施形態では、上述の如く固定側コネクタ５６が中枠１２に設けられた状態で、固定側コネクタ５６に形成された嵌合凹溝６２の溝幅方向が中枠１２の幅方向と略一致せしめられている。そして、二つの固定側接続端子６８，７０は、前枠２０の回動中心軸から離れた位置にある内側壁面６４に設けられている。
【００４８】
また、本実施形態では、上述の如く、固定側コネクタ５６が凹所７６に収容位置せしめられた状態で、固定側コネクタ５６は、中枠１２における前枠２０との重ね合わせ面から突出しないようにされている。
【００４９】
更にまた、本実施形態では、センサ側伝送路７２と回路側伝送路７４は、それぞれ、中枠１２内に配されている。そこにおいて、本実施形態では、センサ側伝送路７２は、操作ハンドル１４内から中枠１２内に延び出すように配されており、回路側伝送路７４は、中枠１２内から発射制御回路３２のほうへ延び出すように配されている。
【００５０】
一方、可動側コネクタ５８は、合成樹脂材等の絶縁材によって形成されており、図６及び図７にも示されているように、矩形平板形状を呈する基台部分７８に対して、突起としての嵌合突部８０が一体形成された構造とされている。そこにおいて、本実施形態では、嵌合突部８０の突出端において、嵌合突部８０の幅方向中央から幅方向両側へ下る斜面８２，８４が形成されている。これにより、嵌合突部８０は突出端側において先細部分８５が形成された先細形状とされている。なお、嵌合突部８０の斜面８２，８４が為す角度は、固定側コネクタ５６の嵌合凹溝６２の内側壁面６４，６６の為す角度と略同じ大きさとされている。
【００５１】
また、本実施形態の可動側コネクタ５８には、銅等の導電性材料で形成された雄側端子としての可動側接続端子８６，８８が二つ設けられている。そこにおいて、これら二つの可動側接続端子８６，８８は、嵌合突部８０の先細部分８５における幅方向一方の側に位置する斜面８２に設けられている。特に本実施形態では、これらの二つの可動側接続端子８６，８８は、嵌合突部８０の突出端付近だけに設けられており、斜面８２の傾斜方向の全体に亘って設けられていない。また、二つの可動側接続端子８６，８８は、嵌合突部８０内に配された中継用伝送路９０によって接続されている。なお、本実施形態では、可動側接続端子８６，８８は、嵌合突部８０の先細部分８５に埋め込まれた状態で設けられており、可動側接続端子８６，８８の表面が斜面８２と面一とされて滑らかに接続されているが、可動側接続端子８６，８８が斜面８２から突出した状態で設けられるようにしても良い。
【００５２】
このような構造とされた可動側コネクタ５８は、前枠２０における中枠１２との重ね合わせ面８３において中枠１２に設けられた固定側コネクタ５６に対応する位置に開口形成された凹所９２に基台部分７８が収容位置せしめられた状態で、前枠２０に設けられている。即ち、可動側コネクタ５８は、前枠２０の回動中心軸が位置するほうとは反対側の縦桟部分において、嵌合突部８０が前枠２０の裏面（中枠１２との重ね合わせ面８３）から突出するようにして、前枠２０に設けられているのである。
【００５３】
なお、可動側コネクタ５８の前枠２０への固定方法としては、例えば、基台部分７８を前枠２０に対して接着する方法や、基台部分７８において前枠２０にネジ止めする方法等が、採用可能である。
【００５４】
そこにおいて、上述の如く可動側コネクタ５８が前枠２０に設けられた状態で、嵌合突部８０の幅方向と前枠２０の幅方向が略一致している。そして、二つの可動側接続端子８６，８８は、前枠２０の回動中心軸から離れたほうに位置して嵌合突部８０の突出方向へ行くに従って前枠２０の外縁を構成する前枠２０の側面８７から遠ざかる斜面８２に設けられている。なお、このことから明らかなように、本実施形態では、斜面８２が外縁側傾斜面とされている。
【００５５】
また、上述の如く可動側コネクタ５８が前枠２０に固定された状態で、基台部分７８は、前枠２０における中枠１２との重ね合わせ面８３から突出していない。
【００５６】
上述の如き構造とされたパチンコ機１０においては、前枠２０が開けられている場合、可動側コネクタ５８の嵌合突部８０と固定側コネクタ５６の嵌合凹溝６２が嵌まり合っておらず、可動側コネクタ５８の可動側接続端子８６，８８と固定側コネクタ５６の固定側接続端子６８，７０が接触していない状態となる。これにより、検出信号伝送路５４が、センサ側伝送路７２と中継用伝送路９０と回路側伝送路７４とに分割されて、遮断された状態となる。その結果、タッチセンサ２４からの検出信号が検出信号伝送路５４を通じて発射制御回路３２に入力されないようになる。
【００５７】
そして、タッチセンサ２４からの検出信号が発射制御回路３２に入力されなくなると、処理部３８において発射信号が生成されなくなる。これにより、ボリュームスイッチ３０から入力される回動量信号に対応した回転速度で発射杆５０を駆動変位せしめるための電流が発射ソレノイド４２に流れなくなる。その結果、発射杆５０が巻ばねの付勢力によって初期位置に戻る。
【００５８】
また、前枠２０が閉じられている場合には、可動側コネクタ５８の嵌合突部８０における斜面８２，８４が固定側コネクタ５６の嵌合凹溝６２における内側壁面６４，６６に重ね合わされた状態で、可動側コネクタ５８の嵌合突部８０が固定側コネクタ５６の嵌合凹溝６２に嵌合せしめられる。これにより、可動側コネクタ５８の可動側接続端子８６，８８と固定側コネクタ５６の固定側接続端子６８，７０が内側壁面６４と斜面８２の重ね合わせ方向、即ち、斜面８２に直交する方向で重ね合わせられて接触し、センサ側伝送路７２と中継用伝送路９０と回路側伝送路７４が電気的に接続されることとなる。その結果、タッチセンサ２４からの検出信号が、センサ側伝送路７２と中継用伝送路９０と回路側伝送路７４によって構成された検出信号伝送路５４を通じて、発射制御回路３２に入力されることとなる。なお、このことから明らかなように、本実施形態では、斜面８４によって位置決め当接面が構成されている。
【００５９】
そして、タッチセンサ２４からの検出信号が発射制御回路３２に入力されると、処理部３８から出力部４０に向けて発射信号が出力されて、かかる発射信号が出力部４０に入力される。これにより、出力部４０は、ボリュームスイッチ３０からの回動量信号に対応した回転速度で発射杆５０を駆動するための電流を発射ソレノイド４２に流す。その結果、発射杆５０が駆動変位せしめられる。
【００６０】
上述の如き構造とされたパチンコ機１０においては、嵌合突部８０の斜面８２が嵌合突部８０の突出方向へ行くに従って隙間８９の開口端面を構成する前枠２０の側面８７から離れるように形成されていることから、枠鍵２５がかかった状態で、図８に示されているように、マイナスドライバ９１を前枠２０と中枠１２の重ね合わせ面間に形成された隙間８９から差し込んで、マイナスドライバ９１と前枠２０との接触部分を支点として、マイナスドライバ９１を手前側、即ち、前枠２０側（図８中の矢印の方向）に引くように動かして、前枠２０を抉じ開けようとした場合、前枠２０に及ぼされる外力の方向と斜面８２の為す角度を直角（９０度）に近くする、即ち、前枠２０が動く方向と斜面８２に垂直な方向を略一致させることが可能となる。その結果、前枠２０が僅かでも動いた場合には、可動側接続端子８６と固定側接続端子６８，７０が非接触状態になり易くなる。
【００６１】
従って、上述の如き構造とされたパチンコ機においては、前枠２０が僅かに開放された場合であっても、接続スイッチ６０を切ることが可能となる。
【００６２】
なお、図示はしていないが、パチンコ機１０が遊技ホールの島設備に取り付けられた状態では、パチンコ機１０の隣りには球貸機や他のパチンコ機が位置することから、マイナスドライバ９１と中枠１２との接触部分を支点として、マイナスドライバ９１を奥側（図８の矢印の方向とは反対側の方向）へ押すように動かすことは極めて困難である。
【００６３】
また、本実施形態では、前枠２０が閉じられた状態で、嵌合突部８０の斜面８４が嵌合凹溝６２の内側壁面６６に当接するようになっていることから、前枠２０が閉じられた状態で嵌合凹溝６２への嵌合突部８０の嵌合を高精度に実現することが可能となる。
【００６４】
以上、本発明の一実施形態について詳述してきたが、これはあくまでも例示であって、本発明は、かかる実施形態における具体的な記載によって、何等、限定的に解釈されるものではない。
【００６５】
例えば、前記実施形態において、可動側コネクタ５８の可動側接続端子８６，８８を斜面８２の基端側の端まで延ばしても良い。
【００６６】
また、前記実施形態において、図９及び図１０に示されているように、固定側コネクタ５６の固定側接続端子６８，７０を嵌合凹溝６２の内側壁面６４の開口端付近だけに設ける一方、図１１及び図１２に示されているように、可動側コネクタ５８の可動側接続端子８６，８８を嵌合突部８０の斜面８２の基端付近だけに設けるようにしても良い。なお、図９及び図１０に示されている態様において、固定側コネクタ５６の固定側接続端子６８，７０を嵌合凹溝６２の底付近まで延ばしていても良い。
【００６７】
また、図１３及び図１４に示されているように、可動側コネクタ５８の嵌合突部８０の突出端に対して嵌合突部８０の突出方向に凸となる円弧状湾曲面を形成すると共に、かかる円弧状湾曲面における突出端から前枠２０の回動中心軸線２３とは離れたほうの位置にある湾曲外周面９４に可動側接続端子８６，８８を設ける一方、固定側コネクタ５６の嵌合凹溝６２の内面を嵌合突部８０の円弧状湾曲面に対応した湾曲内面９６にすると共に、かかる湾曲内面９６に固定側接続端子６８，７０を設けるようにしても良い。
【００６８】
さらに、可動側コネクタ５８における嵌合突部８０の突出端には、一対の斜面８２，８４によって一つの稜線が形成されている必要はなく、例えば、図１５に示されているように、嵌合突部８０の突出端において一対の斜面８２，８４の間に挟まれる平坦面９８が形成されていても良い。
【００６９】
更にまた、扉側端子と本体側端子は、それぞれ、一つずつであっても良い。
【００７０】
また、前記実施形態において、前枠２０に固定側コネクタ５６を設ける一方、中枠１２に可動側コネクタ５８を設けるようにしても良い。この場合、図１６に示されているように、固定側コネクタ５６は、内側壁面６４を有する側壁９３が回動中心軸線２３側に位置するようにして、前枠２０に取り付けられることとなる。これにより、内側壁面６４が側壁９３の突出方向へ行くに従って前枠２０の側面８７から離れる外縁側傾斜面となる。即ち、この場合においては、内側壁面６４を有する側壁９３が突起を構成することとなる。
【００７１】
さらに、前記実施形態において、固定側接続端子６８，７０が設けられた内側壁面６４と可動側接続端子８６，８８が設けられた斜面８２を前枠２０の下方の外縁側に位置するようにしても良いし、固定側接続端子６８，７０が設けられた内側壁面６４と可動側接続端子８６，８８が設けられた斜面８２を前枠２０の上方の外縁側に位置するようにしても良い。
【００７２】
また、前記実施形態において、接続スイッチ６０の状態を感知する機能を備えるようにしても良いし、接続スイッチ６０がＯＦＦになったときに遊技者に報知する機能を備えるようにしても良い。
【００７３】
また、前記実施形態では、電気的装置の信号線上に扉連動スイッチが設けられていたが、電気的装置の電源線上に扉連動スイッチを設けるようにしても良い。なお、本発明において、電気的装置の電源線とは、電気的装置に電源を供給する際の電源供給路をいい、電気的装置の信号線とは、電気的装置に入力される信号又は電気的装置から出力される信号を伝送する際の信号伝送路をいう。
【００７４】
さらに、本発明は、スロットマシンに対しても、勿論、適用可能である。
【００７５】
更にまた、本発明は、前枠２０に設けられた電飾ＬＥＤへ電源を供給する場合や、パチンコ機１０の裏側に配される枠体と中枠１２との間で電源を供給する場合等においても、勿論、適用可能である。
【００７６】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【００７７】
上記実施形態から把握できる技術的思想について以下に記載する。
（１）遊技機の外枠に対して固定される本体部と、
該本体部に対して開閉可能に取り付けられており、該本体部に対して開放不能に固定可能な扉状部と、
電気的装置の電源線又は信号線上に設けられ、前記扉状部の開閉に連動する扉連動スイッチと
を備えた遊技機において、
前記扉連動スイッチは、
前記扉状部において該扉状部を閉じた状態で前記本体部と重ね合わせられる重ね合わせ面に設けられて、該扉状部を閉じた状態で該重ね合わせ面から該本体部のほうへ突出する突起と、
該突起において前記扉状部の外縁側に位置する側面に形成されており、該突起の突出方向へ行くに従って該扉状部の外縁から離れる外縁側傾斜面と、
該外縁側傾斜面に設けられた扉側端子と、
前記本体部に設けられて、前記扉状部が閉じられた状態で前記外縁側傾斜面に対する直交方向において前記扉側端子と重ね合わせられることにより、該扉側端子と接触する本体側端子と
を備え、前記扉側端子と前記本体側端子が接触することにより電源線又は信号線を接続し、前記扉側端子と前記本体側端子が離れることにより電源線又は信号線を遮断することを特徴とする遊技機。
【００７８】
（２）前記突起には、前記外縁側傾斜面とは異なる位置決め当接面が形成されており、前記扉状部が閉じられた状態で、該位置決め当接面が前記本体部に当接せしめられている技術的思想（１）に記載の遊技機。
【００７９】
技術的思想の第一の態様は、遊技機の外枠に対して固定される本体部と、本体部に対して開閉可能に取り付けられており、本体部に対して開放不能に固定可能な扉状部と、電気的装置の電源線又は信号線上に設けられ、扉状部の開閉に連動する扉連動スイッチとを備えた遊技機において、扉連動スイッチは、扉状部において扉状部を閉じた状態で本体部と重ね合わせられる重ね合わせ面に設けられて、扉状部を閉じた状態でかかる重ね合わせ面から本体部のほうへ突出する突起と、突起において扉状部の外縁側に位置する側面に形成されており、突起の突出方向へ行くに従って扉状部の外縁から離れる外縁側傾斜面と、外縁側傾斜面に設けられた扉側端子と、本体部に設けられて、扉状部が閉じられた状態で外縁側傾斜面に対する直交方向において扉側端子と重ね合わせられることにより、扉側端子と接触する本体側端子とを備え、扉側端子と本体側端子が接触することにより電源線又は信号線を接続し、扉側端子と本体側端子が離れることにより電源線又は信号線を遮断することを、特徴とする。
【００８０】
このような本態様に従う構造とされた遊技機にあっては、本体部に対して開放不能に固定された扉状部を抉じ開けようとした場合に、扉側端子が本体側端子から離れることにより扉連動スイッチを切ることが可能となる。
【００８１】
すなわち、遊技ホールの島設備に設置された遊技機の扉状部を抉じ開けようとした場合、扉状部と本体部の重ね合わせ面間に形成された隙間にマイナスドライバ等の抉じ開け用道具を挿し込んで、かかる抉じ開け用道具を扉状部との接触部分を支点にして手前側（扉状部側）へ引いて動かすようにすることとなるが、扉側端子が設けられた外縁側傾斜面が突起の突出方向へ行くに従って扉状部の外縁、即ち、扉状部と本体部の重ね合わせ面間に形成された隙間の開口端面を構成する扉状部の側面から遠ざかるように形成されていることから、抉じ開け用道具で扉状部を抉じ開けようとした場合に扉状部に作用する外力の方向、即ち、扉状部が動く方向と、扉側端子が設けられた外縁側傾斜面との為す角度を９０度（直角）に近い大きさにすることが可能となる。その結果、扉状部が僅かに動いた場合であっても、扉側端子と本体側端子を非接触状態にすることが可能となる。
【００８２】
従って、本態様に係る遊技機においては、扉状部の僅かな開放でも扉連動スイッチを切ることが出来るのである。
【００８３】
なお、本態様において、本体部は外枠に対して一軸回りに回動可能な状態で組み付けられていても良い。また、本発明では、扉状部が本体部になっても良いし、本体部が扉状部になっても良い。即ち、本発明では、扉状部は扉状部だけである必要はなく、他の部材との関係で本体部になっても良く、また、本体部は本体部だけである必要はなく、他の部材との関係で扉状部となっても良いのである。
【００８４】
また、本態様において、扉状部を本体部に対して開放不能に固定するというのは、例えば、本体部に対する回動中心軸線とは反対側の位置に設けられた鍵によって扉状部を閉じた状態に維持することをいい、本体部に対して開閉不能に固定された扉状部を再び開放できないように固定することではない。
【００８５】
さらに、本態様において、外縁側傾斜面の傾斜角度は、突起が設けられた位置等に応じて、適宜設定されるものである。なお、本発明において、外縁側傾斜面は、傾斜の度合いが略一定であっても良いし、傾斜の度合いが変化していても良い。
【００８６】
更にまた、本態様において、突起は、扉状部に一体形成されていても良いし、扉状部とは別体形成された部材が扉状部に固定されることにより、扉状部に設けられていても良い。
【００８７】
また、本態様において、本体側端子は、本体部に対して直接に設けられていても良いし、本体部に固定された別部材に設けられていても良い。
【００８８】
更にまた、本態様において、電気的装置とは、電源を供給することによって使用可能となる装置をいい、例えば、発光ダイオードや有機ＥＬ等の発光素子，スピーカ，電気モータ，ロータリーソレノイド，回路基板，センサ等である。
【００８９】
さらに、技術的思想の第二の態様は、突起に対して、外縁側傾斜面とは異なる位置決め当接面が形成されており、扉状部が閉じられた状態で、位置決め当接面が本体部に当接せしめられていることが望ましい。これにより、扉状部を閉じた状態での扉側端子と本体側端子の位置決め精度を向上させることが可能となる。その結果、扉状部を閉じた状態での扉側端子と本体側端子の接触を有利に実現することが可能となる。
【００９０】
なお、このような構成を採用する場合において、位置決め当接面が本体部に当接せしめられるとは、位置決め当接面が本体部に対して直接に当接せしめられることであっても良いし、位置決め当接面が本体部に固定された別部材に対して当接せしめられることであっても良い。
【図面の簡単な説明】
【００９１】
【図１】本発明の第一の実施形態としてのパチンコ機を示す正面図。
【図２】同パチンコ機が備えている発射制御回路のブロック図。
【図３】同パチンコ機が備えている駆動装置を示す斜視図。
【図４】図１におけるＩＶ−ＩＶ方向の要部拡大断面図であって、固定側コネクタと可動側コネクタが嵌合していない状態を示す断面図。
【図５】固定側コネクタの平面図。
【図６】可動側コネクタの平面図。
【図７】可動側コネクタの側面図。
【図８】前枠の動きと嵌合突部の斜面との関係を説明するための横断面図。
【図９】本発明で採用可能な固定側コネクタの他の態様を示す縦断面図であって、図１０のＩＸ−ＩＸ方向の断面図。
【図１０】図９に示す固定側コネクタの平面図。
【図１１】本発明で採用可能な可動側コネクタの他の態様を示す平面図。
【図１２】図１１に示す可動側コネクタの側面図。
【図１３】本発明で採用可能な固定側コネクタの更に別の態様を示す平面図。
【図１４】本発明で採用可能な可動側コネクタの更に別の態様を示す平面図。
【図１５】本発明で採用可能な可動側コネクタの別の態様を示す平面図。
【図１６】本発明で採用可能な突起の他の態様を示す横断面図。
【符号の説明】
【００９２】
１０：パチンコ機，１１：外枠，１２：中枠，２０：前枠，６０：接続スイッチ，６８：固定側接続端子，７０：固定側接続端子，７１：側面，８０：嵌合突部，８２：斜面，８６：可動側接続端子，８８：可動側接続端子
【図１】
2012176263.tif 000003
【図２】
2012176263.tif 000004
【図３】
2012176263.tif 000005
【図４】
2012176263.tif 000006
【図５】
2012176263.tif 000007
【図６】
2012176263.tif 000008
【図７】
2012176263.tif 000009
【図８】
2012176263.tif 000010
【図９】
2012176263.tif 000011
【図１０】
2012176263.tif 000012
【図１１】
2012176263.tif 000013
【図１２】
2012176263.tif 000014
【図１３】
2012176263.tif 000015
【図１４】
2012176263.tif 000016
【図１５】
2012176263.tif 000017
【図１６】
2012176263.tif 000018